(57)【要約】【課題】斜め挿入タイプのリテーナが仮係止位置にあるときに、端子金具のキャビティへの挿入作業を円滑に行う。【解決手段】リテーナ６０，６０Ａの両側面には、それぞれ、仮係止位置においてハウジング１０，１０Ａ側の仮係止受け部２１に係合する係止突部６１が設けられている。リテーナ６０，６０Ａとハウジング１０，１０Ａには、それぞれ、リテーナ６０Ａの前端部またはリテーナ６０の後端部と対応する位置に、仮係止位置にあるリテーナ６０，６０Ａが係止突部６１と仮係止受け部２１との係合位置を略中心としてその前端部をハウジング１０，１０Ａ側に傾動させる向きに回動する方向で当り合うことにより、リテーナ６０，６０Ａの前端部のハウジング１０，１０Ａ側への落ち込みを規制する落ち込み規制部３１，６３，８１，８５が設けられている。【選択図】図１
2008198554.tif 000002
【特許請求の範囲】
【請求項１】
相手ハウジングに嵌合可能とされるとともに端子金具が挿入されるキャビティを有するハウジングと、前記ハウジングにおいて前記キャビティに連通する深さをもって形成された挿入孔に差し込まれ、前記キャビティから退避した仮係止位置にあっては前記端子金具の挿抜を許容する一方、前記キャビティに進入した本係止位置にあっては前記端子金具の抜け止めをなすリテーナとを備え、前記リテーナの両側面には、それぞれ、前記仮係止位置において前記ハウジングに形成された仮係止受け部に係合する仮係止部が設けられており、さらに、前記リテーナは前記ハウジングに対して前記仮係止位置から前記本係止位置にかけて前記相手ハウジングとの嵌合方向と交差する斜め前方に移動するようになっており、
前記リテーナと前記ハウジングには、それぞれ、前記リテーナにおける前記仮係止部から離れた前端部または後端部と対応する位置に、前記仮係止位置にある前記リテーナが前記仮係止部と前記仮係止受け部との係合位置を略中心としてその前端部を前記ハウジング側に傾動させる向きに回動する方向で当り合うことにより、前記リテーナの前端部の前記ハウジング側への落ち込みを規制する落ち込み規制部が設けられていることを特徴とするコネクタ。
【請求項２】
前記ハウジング側の落ち込み規制部は、前記ハウジングの外面の後端部にあって鉤状に突成された突片からなり、前記リテーナ側の落ち込み規制部は、前記リテーナの後端部にあって前記仮係止位置にて前記突片に引っ掛かることを特徴とする請求項１に記載のコネクタ。
【請求項３】
前記突片は、前記仮係止位置では側方から見て前記リテーナの一部と重なり合うラップ領域を有する一方、前記本係止位置では側方から見て前記ラップ領域がなくなることを特徴とする請求項２に記載のコネクタ。
【請求項４】
前記リテーナは、前記ハウジングの底面における前記挿入孔の差込口を閉止する底板を備え、前記底板は前記差込口に対する閉止領域から前方に延出されてその延出端に前記リテーナ側の落ち込み規制部を有しており、前記ハウジング側の落ち込み規制部は、前記ハウジングの底面のうち前記挿入孔の差込口の前端縁より前方に設けられていることを特徴とする請求項１に記載のコネクタ。
【発明の詳細な説明】
【技術分野】
【０００１】
本発明は、コネクタに関する。
【背景技術】
【０００２】
特許文献１に記載のコネクタは、相手ハウジングに嵌合可能とされるとともにキャビティ内に端子金具が挿入されたハウジングと、ハウジングに装着されて相手ハウジングとの嵌合方向と交差する斜め前方に移動するリテーナとを備える。リテーナは、ハウジングの外面に開口された挿入孔に差し込まれ、キャビティから退避して端子金具の挿抜を許容する仮係止位置と、そこから押し込まれ、キャビティ内に進入して端子金具の抜け止めをなす本係止位置とに移動可能となっており、その両側面には、リテーナを仮係止位置で留め置く一対の仮係止部が形成され、ハウジングの両側面には、両係止部と対応する位置に、一対の仮係止受け部が形成されている。また、リテーナの両側面には、仮係止部を構成する係止突起が設けられ、ハウジングの両側面には、仮係止受け部を構成して係止突起を嵌め入れる誘導溝が形成されており、誘導溝の延び方向に、リテーナの本係止位置への移動方向が規定される。
【特許文献１】特開２００４−２２３０７公報
【発明の開示】
【発明が解決しようとする課題】
【０００３】
上記のような斜め挿入タイプのリテーナにあっては、リテーナが仮係止位置にある場合に、リテーナの前端部に対してハウジング側へ突き上げる向きの外力が作用すると、リテーナが仮係止部と仮係止受け部との係合位置を略中心として回動し、リテーナの前端部がハウジング内に落ち込む虞があった。そうすると、キャビティ内に端子金具を挿入しようとしても、端子金具はその挿入途上でリテーナの前端部と突き当たり正規挿入位置まで挿入されないという問題があった。
【０００４】
この場合、リテーナに形成された係止突起がハウジング側の誘導溝の溝面と当接することで、リテーナの回動を食い止めることはできるとも考えられるが、係止突起と誘導溝はいずれもリテーナの回動中心部に位置しているため、十分な慣性モーメントを得ることができず、突き上げの外力が大きくなると、リテーナが回動するのを確実に阻止するのは難しいという事情があった。
【０００５】
本発明は上記のような事情に基づいて完成されたものであって、斜め挿入タイプのリテーナが仮係止位置にあるときに、リテーナの前端部がハウジング内に落ち込むことで、端子金具の挿入作業に支障を来たすのを防止することを目的とする。
【課題を解決するための手段】
【０００６】
上記の目的を達成するための手段として、請求項１の発明は、相手ハウジングに嵌合可能とされるとともに端子金具が挿入されるキャビティを有するハウジングと、前記ハウジングにおいて前記キャビティに連通する深さをもって形成された挿入孔に差し込まれ、前記キャビティから退避した仮係止位置にあっては前記端子金具の挿抜を許容する一方、前記キャビティに進入した本係止位置にあっては前記端子金具の抜け止めをなすリテーナとを備え、前記リテーナの両側面には、それぞれ、前記仮係止位置において前記ハウジングに形成された仮係止受け部に係合する仮係止部が設けられており、さらに、前記リテーナは前記ハウジングに対して前記仮係止位置から前記本係止位置にかけて前記相手ハウジングとの嵌合方向と交差する斜め前方に移動するようになっており、前記リテーナと前記ハウジングには、それぞれ、前記リテーナにおける前記仮係止部から離れた前端部または後端部と対応する位置に、前記仮係止位置にある前記リテーナが前記仮係止部と前記仮係止受け部との係合位置を略中心としてその前端部を前記ハウジング側に傾動させる向きに回動する方向で当り合うことにより、前記リテーナの前端部の前記ハウジング側への落ち込みを規制する落ち込み規制部が設けられている構成としたところに特徴を有する。
【０００７】
請求項２の発明は、請求項１に記載のものにおいて、前記ハウジング側の落ち込み規制部は、前記ハウジングの外面の後端部にあって鉤状に突成された突片からなり、前記リテーナ側の落ち込み規制部は、前記リテーナの後端部にあって前記仮係止位置にて前記突片に引っ掛かるところに特徴を有する。  
請求項３の発明は、請求項２に記載のものにおいて、前記突片は、前記仮係止位置では側方から見て前記リテーナの一部と重なり合うラップ領域を有する一方、前記本係止位置では側方から見て前記ラップ領域がなくなるところに特徴を有する。
【０００８】
請求項４の発明は、請求項１に記載のものにおいて、前記リテーナは、前記ハウジングの底面における前記挿入孔の差込口を閉止する底板を備え、前記底板は前記差込口に対する閉止領域から前方に延出されてその延出端に前記リテーナ側の落ち込み規制部を有しており、前記ハウジング側の落ち込み規制部は、前記ハウジングの底面のうち前記挿入孔の差込口の前端縁より前方に設けられているところに特徴を有する。
【発明の効果】
【０００９】
＜請求項１の発明＞
リテーナが仮係止位置にあるときに、リテーナの前端部に対してハウジング側に突き上げる向きの外力が作用すると、リテーナ側およびハウジング側の両落ち込み規制部が当り合うことにより、リテーナが回動するのを阻止できるとともにリテーナの前端部がハウジング内に落ち込むのを阻止できる。結果、リテーナが仮係止位置にあるときに、ハウジングのキャビティ内に端子金具を円滑に挿入できる。この場合に、両落ち込み規制部はリテーナの回動中心部となる仮係止部と仮係止受け部との係合位置から離れた、リテーナの前端部または後端部と対応する位置に設けられているから、大きな慣性モーメントが得られ、リテーナが回動するのを確実に阻止できる。
【００１０】
＜請求項２の発明＞
ハウジング側の落ち込み規制部はハウジングの外面の後端部にあって鉤状に突成された突片からなり、リテーナ側の落ち込み規制部はリテーナの後端部にあって仮係止位置にて突片に引っ掛かるから、リテーナの前端部に対する突き上げ力をリテーナの後端部で確実に受け止めることができる。また、落ち込み規制部としてハウジング側に突片を設けるだけで済み、金型構造を簡素化できる。  
＜請求項３の発明＞
突片は仮係止位置では側方から見てリテーナの一部と重なり合うラップ領域を有する一方、本係止位置では側方から見てラップ領域がなくなるから、突片のラップ状態を視認することでリテーナが本係止位置に至ったかどうかを検知することができ、リテーナが仮係止位置と本係止位置との間に留め置かれるのを回避できる。
【００１１】
＜請求項４の発明＞
リテーナはハウジングの底面における挿入孔の差込口を閉止する底板を備え、底板は差込口に対する閉止領域から前方に延出されてその延出端にリテーナ側の落ち込み規制部を有しており、ハウジング側の落ち込み規制部はハウジングの底面のうち挿入孔の差込口の前端縁より前方に設けられているから、両落ち込み規制部がリテーナの回動中心部となる仮係止部と仮係止受け部との係合位置から遠く離れた位置に設けられることになって、大きな慣性モーメントを得ることができ、リテーナが回動するのをいっそう確実に阻止できる。また、ハウジングの底面における挿入孔の差込口より前方のデッドスペースを有効に利用できる。
【発明を実施するための最良の形態】
【００１２】
＜実施形態１＞
本発明の実施形態１を図１ないし図７によって説明する。本実施形態のコネクタは、端子金具５０、ハウジング１０、およびリテーナ６０を備え、ハウジング１０は相手ハウジング（図示せず）に嵌合可能とされ、リテーナ６０はハウジング１０に対して仮係止位置と本係止位置とに移動可能とされる。なお、以下に説明おいて前後方向については両ハウジングの嵌合面側を前方とする。
【００１３】
ハウジング１０は合成樹脂製であって、全体としてブロック状をなし、内部に、後方から端子金具５０を挿入可能な複数のキャビティ１１が上下二段で形成されている。キャビティ１１の内壁には撓み可能なランス１２が形成されており、このランス１２によってキャビティ１１内に正規挿入された端子金具５０の一次的な抜け止めがなされる。ここで、端子金具５０は、図２に示すように、その前側に箱部５１を有する周知の雌端子金具であり、電線９０の端末にかしめ付けによって接続されるとともに、箱部５１の周壁にランス１２と係合する係合凹部５２を有し、かつ、箱部５１の後端縁の顎部分にリテーナ６０に係止される被抜止部５３を有している。  
ハウジング１０の前面には相手の雄端子金具のタブ（図示せず）を挿入可能なタブ挿通孔５４を有するフロントホルダ５５が装着されている。また、ハウジング１０の上面には、その前端から後方へ向かって片持ち梁状に延出されたロックアーム１３が形成されており、このロックアーム１３が相手ハウジングの対応部位を係止することで、両ハウジングが嵌合状態にロックされる。
【００１４】
そして、ハウジング１０には、図３および図７に示すように、リテーナ６０の挿入孔１４が下面および両側面の三面に亘って開口して形成されている。この挿入孔１４はハウジング１０の下面から上段のキャビティ１１にも通じる深さをもって形成され、その前端孔縁が略垂直に切り立つ一方、その後端孔縁がリテーナ６０の挿入方向に沿って概ね斜め４５度に傾斜する傾斜縁１５となっている。また、ハウジング１０の両側面には、挿入孔１４の側面開口を横切って左右一対のブリッジ部１６が前端孔縁と傾斜縁１５とに架設されている。ブリッジ部１６は傾斜縁１５と略平行な斜め方向に延出して形成されており、ブリッジ部１６と傾斜縁１５との間には、リテーナ６０を移動案内するためのガイド孔１７が開設されている。
【００１５】
また、ハウジング１０の両側面のうちブリッジ部１６を挟んだ前後領域には、ブリッジ部１６の成形に伴って周囲より一段低くなった凹所１８が形成されている。ハウジングの凹所１８には挿入孔１４（ガイド孔１７）の傾斜縁１５に沿って仮係止受け部１０の後側２１と本係止受け部２２が並んで形成されており、本係止受け部２２が仮係止受け部２１よりもリテーナ６０の挿入方向前方となる上位に配される。本係止受け部２２と仮係止受け部２１はいずれも側方から見て三角形状に切り欠かれており、内部に、リテーナ６０側の係止突部６１（仮係止部にも相当するものであって後述する）が嵌合可能となっている。
【００１６】
ブリッジ部１６の前端縁には、その傾斜途中に、側方から見て略三角形状の補助突部２３が形成されており、この補助突部２３によって仮係止位置にあるリテーナ６０が回動するのを補助的に規制可能となっている。また、ハウジング１０の前側の凹所１８には、リテーナ６０と係合可能な係止リブ２４が前後方向に延出して形成されている。係止リブ２４の下面は斜面とされ、リテーナ６０が仮係止位置から本係止位置にかけてこの斜面に沿って移動可能とされる。また、係止リブ２４の上面は略水平面とされ、本係止位置に至ったリテーナ６０が仮係止位置側へ移動するのを規制可能とされる。
【００１７】
ハウジング１０の底面には、全幅に亘って挿入孔１４の差込口２５が略方形状に開口されており、ここからリテーナ６０が差し込まれるようになっている。ハウジング１０の底面のうち差込口２５の前端縁から前面に至る途中には、リテーナ６０の底板６２が嵌合される嵌合凹部２６が前側の凹所１８に連続して形成されている。嵌合凹部２６の前端縁の段差には、幅方向に間隔をあけて複数のガタ詰め突起２７が形成されており、これらガタ詰め突起２７によって本係止位置に至ったリテーナ６０のガタ詰めがなされる。
【００１８】
そして、ハウジング１０の底面の後端部には、ハウジング１０側の落ち込み規制部として、左右一対の突片３１が形成されている。具体的に突片３１は、挿入孔１４の差込口２５より後方にあって差込口２５と近接して配置され、下方へ垂下される脚部３２と前方へ突出する台部３３とで全体として鉤状、詳細にはＬ字状をなしている。脚部３２の前方空間でかつ台部３３の上方空間はリテーナ６０側の被当接部６３を受け入れ可能な進入空間３４とされる。そして、台部３３と挿入孔１４の差込口２５とは前後方向について重なり合う位置関係にあり、底面視によれば差込口２５のうちの後端部が台部３３によって覆い隠されている。また、台部３３は、底面視によれば方形状をなし、ハウジング１０の底面において左右に分断して配置され、両台部３３間にはリテーナ６０の操作部６４（後述する）が進入する進入空間２９が開設されている。また、突片３１の外面は角を落して全体的に丸みがついており、脚部３２等を摘んで両ハウジングの嵌合・離脱動作を行う際に、手指にエッジが突き当たらないようにしてある。
【００１９】
続いてリテーナ６０について説明すると、リテーナ６０は同じく合成樹脂製であって、ハウジング１０の全幅に亘る長さの本体部６５を備えている。本体部６５は、下段のキャビティ１１と対応する位置毎に、複数の端子挿通口６６を横一列で並列させており、各端子挿通口６６を囲って窓枠状をなしている。本体部６５の前端縁は、図６に示すように、本係止位置にて挿入孔１４の前端孔縁と当接するよう略垂直に切り立っており、本体部６５の後端縁は、移動過程で挿入孔１４の傾斜縁１５に摺接し得るよう前方へ向かって上り勾配の斜辺部６７となっている。また、本体部６５には、端子挿通口６６毎に、仮係止位置ではキャビティ１１から退避する一方、本係止位置ではキャビティ１１内に進入する抜止部６８が形成されている。抜止部６８は上下のキャビティ１１と対応するように端子挿通口６６の上下位置に配置され、本係止位置にて端子金具５０の被抜止部５３と端子金具５０の抜け方向（後方）で係止可能とされる。
【００２０】
本体部６５の両側面は、略垂直な閉止面とされ、ここにガイド部６９が突設されている。ガイド部６９は本体部６５の上端部において斜辺部６７に沿って斜めに延出する形態であり、ガイド孔１７に嵌め入れられてその孔面に摺接可能となっている。また、本体部６５の斜辺部６７には、ガイド部６９に連なる位置に、係止突部６１が形成されている。係止突部６１はその全体が仮係止受け部２１および本係止受け部２２に嵌入可能となっており、かつ、リテーナ６０の挿入方向に沿って僅かに傾斜する斜面を有し、この斜面によって仮係止受け部２１からの解離が容易になされる。
【００２１】
また、リテーナ６０は本体部６５の底面を覆うとともに、本体部６５の前端より前方へ突出する形態の底板６２を備えている。底板６２は、全体として方形板状をなし、本係止位置において、挿入孔１４の差込口２５を塞ぎつつ嵌合凹部２６に嵌合してハウジング１０の底面と略面一で連なり、かつ、その前端縁がガタ詰め突起２７の先端部を圧潰してリテーナ６０の遊動を規制可能となす。底板６２の後端下面の幅方向略中央部には、操作部６４が突出して形成されている。操作部６４は左右に細長いリブ状をなしその外面は角を落して全体的に丸みがつけられ、手指にエッジが突き当らないようにしてある。操作部６４は、仮係止位置では突片３１間の進入空間２９内に配されて側方から見ると突片３１側と重なり合うラップ領域４１を有し、本係止位置では進入空間２９から出て側方から見るとその下面が台部３３の上面とほぼ同じ高さに配されてラップ領域４１がなくなる。底板６２の下面後端部のうち操作部６４を挟んだ両側位置には、仮係止位置にて台部３３と上下方向（高さ方向）で当接可能とされる左右一対の被当接部６３（リテーナ６０側の落ち込み規制部）が形成されている。
【００２２】
そして、リテーナ６０は底板６２の両側縁前半部から立ち上げられた左右一対の側板７１を備えている。両側板７１の後端縁はリテーナ６０の挿入方向と略平行な斜辺とされ、組み付け時にはガイド部６９の前端縁との間でブリッジ部１６を挟むように配置される。また、両側板７１の後端縁には、本係止位置にて補助突部２３が進入する逃がし凹部７２が切り欠いて形成されている。両側板７１の立ち上げ端の後端部は、仮係止位置にて補助突部２３と当接する補助受け部７３とされ、リテーナ６０の本係止位置への移動を規制可能となす。また、両側板７１の内面の立ち上げ端寄りの位置には、断面爪状をなす左右一対の係止爪７４が形成されており、ハウジング１０側の係止リブ２４と常時当接可能とされる。具体的には、仮係止位置では係止爪７４が係止リブ２４の斜面に面当りして本係止位置への移動を軽く規制し、仮係止位置から本係止位置に至る間は係止爪７４が係止リブ２４の斜面を摺接することで両側板７１が拡開方向に撓み変形させられ、さらに、本係止位置では両側板７１の弾性復帰に伴って係止爪７４が係止リブ２４の水平面に面当りして仮係止位置への戻りを強く規制する。
【００２３】
次に、本実施形態のコネクタの作用効果について説明する。  
まず、ハウジング１０の挿入孔１４内に差込口２５からリテーナ６０を挿入し、図１に示すように、リテーナ６０を仮係止位置に留め置く。このとき、底板６１の後端を突片３１の進入空間３４へ誘うように進入させる。その状態で、キャビティ１１内に後方から端子金具５０を挿入し、ランス１２によって端子金具５０を一次係止する。リテーナ６０が仮係止位置にあるとき、底板６２がハウジング１０の底面から浮いた状態となって、ガイド部６９がガイド孔１７の下半部に収容され、係止突部６１が仮係止受け部２１に進入するとともに、補助突部２３が補助受け部７３と略水平に当り合い、さらに係止爪７４が係止リブ２４と略水平に長く当り合うことで、リテーナ６０が仮係止位置に留め置かれる。またこの仮係止位置では、底板６２の被当接部６３が突片３１の進入空間３４に入り込むとともに、被当接部６３と突片３１の台部３３が僅かな隙間をあけて対峙する。
【００２４】
全ての端子金具５０を挿入したら、続いて、操作部６４を摘みつつリテーナ６０を本係止位置側へ向けて斜め前方に押し込み、リテーナ６０を相手ハウジングとの嵌合方向と鋭角に交差する斜め方向に移動させる。リテーナ６０の移動途中では、係止爪７４が係止リブ２４に乗り上げられ、両側板７１の拡開に伴って補助突部２３と補助受け部７３との係止状態が解除されるとともに、係止突部６１が仮係止受け部２１から離間して本係止位置側へ変位する。そしてリテーナ６０が本係止位置に至ると、ガイド部６９がガイド孔１７の上半部に収容され、両側板７１の弾性復帰に伴い補助突部２３が逃がし凹部７２に進入するとともに、係止爪７４が係止リブ２４に引っ掛かり、さらに係止突部６１が本係止受け部２２に進入することで、リテーナ６０が本係止位置に留め置かれる。かくリテーナ６０が本係止位置に達すると、図２に示すように、抜止部６８がキャビティ１１内に進入して端子金具５０の被抜止部５３に対峙し、これによって端子金具５０を二次係止する。なお、各端子金具５０のうちの少なくともいずれか一つがキャビティ１１内に半挿入状態で留め置かれていると、該端子金具５０は本係止位置に向かって移動するリテーナ６０によって正規挿入位置へと強制的に押しやられ、これによって端子金具５０が半挿入状態のままで放置されるのが防止される。
【００２５】
ところで、リテーナ６０が仮係止位置にあるときに、底板６２の前端部に対してここをハウジング１０側へ突き上げるような外力Ｆが作用すると、係止突部６１と仮係止受け部２１との係合位置を略中心として外力付加方向、つまり、底板６２の前端部がハウジング１０側に傾動する方向にリテーナ６０が回動し、底板６２の前端部がハウジング１０の嵌合凹部２６に落ち込み、その後の端子金具５０の挿入作業に支障を来たすことが懸念される。  
しかるに本実施形態においては、底板６２の前端部に対して外力Ｆが作用しても、係止突部６１と仮係止受け部２１との係合位置を略中心とするリテーナ６０の回動（接線）方向で被当接部６３と台部３３とが互いに当り合うことにより、外力Ｆを受け止めるから、リテーナ６０の回動によって底板６２の前端部がハウジング１０内に落ち込むのを防止できる。この場合、突片３１と被当接部６３との当接位置は、係止突部６１と仮係止受け部２１との係合位置から離れたリテーナ６０の後端側に設定されているから、大きな慣性モーメントを得ることができ、リテーナ６０が回動するのを確実に阻止できる。また、落ち込み規制部として、ハウジング１０側に突片３１を付加するだけで済むから、金型の構造を簡素化できる。
【００２６】
さらに、突片３１は、仮係止位置では側方から見て操作部６４と重なり合うラップ領域４１を有する一方で、本係止位置では側方から見て操作部６４との重なり合いを解消するから、突片３１の状態を視認することで、つまり突片３１のリテーナ６０とのラップ具合を視認することで、リテーナ６０が本係止位置に至ったかどうかを検知することができる。結果、リテーナ６０が仮係止位置と本係止位置との間に留め置かれるのを回避できる。
【００２７】
＜実施形態２＞
次に、本発明の実施形態２を図８ないし図１５によって説明する。実施形態２では、リテーナ６０Ａの前端部と対応する位置に落ち込み規制部８１，８５が設けられており、その点、実施形態１とは異なる。しかし、実施形態２は実施形態１と共通する点が多いので、実施形態１と同じ構造部位には同一符号を付し、重複する説明は省略する。
【００２８】
実施形態２では、ハウジング１０Ａの底面のうち、リテーナ６０Ａの挿入孔１４より前部側に、ハウジング１０Ａ側の落ち込み規制部８１が設けられている。具体的にこの落ち込み規制部８１は、図８および図１０に示すように、ハウジング１０Ａの底面における前面寄りの領域を周りの平面より凹ませた形態であって、嵌合凹部２６の前端縁からハウジング１０Ａの前面にかけて形成されているとともに、下段のキャビティ１１に通じる深さをもって形成されている。より具体的にこの落ち込み規制部８１は、底面視によれば横長の方形状をなし、その前端孔縁は略垂直に切り立つ垂直面８２とされる一方、その後端孔縁はリテーナ６０Ａの移動方向と略平行な斜め４５度に切り欠かれた傾斜面８３とされ、さらにこの傾斜面８３の下端から嵌合凹部２６の前端縁にかけては略水平に切り欠かれた水平面８４とされており、垂直面８２と傾斜面８３との間に下段のキャビティ１１が臨んでいる。そして、垂直面８２、傾斜面８３、および水平面８４によって囲まれた空間は、リテーナ６０Ａ側の落ち込み規制部８５が進入する組み付け空間８６とされる。あとはハウジング１０Ａ側については、突片３１がない点を除いて（脚部３２は残留する）実施形態１とほぼ同じである。
【００２９】
一方、実施形態２のリテーナ６０Ａは、実施形態１のリテーナ６０とその基本的構造が共通しており、大まかには、実施形態１のリテーナ６０の前端縁に落ち込み規制部８５を付加した構造となっている。この落ち込み規制部８５は、底板６２の前端縁から前方へ突出する形態であって、図１４に示すように、平面視（底面視）によれば底板６２の前端縁略中央部において横長方形状をなしている。具体的にこの落ち込み規制部８５は、図１１ないし図１３に示すように、底板６２の前端縁略中央部から前方へ略水平に突出する突部８７と、突部８７の前端側の上面に肉盛りされた隆起部８８とを備える。そして、突部８７は、その下面を底板６２の下面に面一で連ねつつ底板６２の板厚より薄肉とされ、底板６２の上面に対して段違いで連なっている。また、隆起部８８は、その前端面が垂直端面９１、その上端面が水平端面９２、その後端面が傾斜端面９３とされ、全体として台形状をなしている。隆起部８８の傾斜端面９３は、ハウジング１０Ａ側の傾斜面８３とほぼ同じ勾配をもって構成され、リテーナ６０Ａの移動時には傾斜面８３とその移動方向に沿って摺接可能とされる。さらに、隆起部８８のうち、水平端面９２と傾斜端面９３とが連係する部分には、水平端面９２の後端位置を後方へ極僅か延長させた水平突起９５が形成されている。この水平突起９５は、仮係止位置においてハウジング１０Ａ側の水平面８４と前後方向について若干重複してこの水平面８４と上下（高さ方向）で当り合うようになっている。
【００３０】
次に、実施形態２のコネクタの作用効果について説明する。  
ハウジング１０Ａにリテーナ６０Ａを組み付ける際には、ハウジング１０Ａの挿入孔１４に差込口２５からリテーナ６０Ａを差し込む。すると、実施形態１と同様に係止突部６１が仮係止受け部２１に嵌入等してリテーナ６０Ａが仮係止位置に保持される。この仮係止位置では、図８に示すように、リテーナ６０Ａ側の落ち込み規制部８５がハウジング１０Ａ側の落ち込み規制部８１に臨みつつ、隆起部８８の水平端面９２とハウジング１０Ａ側の水平面８４がほぼ同じ高さ位置に揃うとともに、水平突起９５が水平面８４の前端側にラップして引っ掛かる。その後、リテーナ６０Ａを押し込んで本係止位置に移動させると、図９に示すように、隆起部８８が組み付け空間８６に緊密に嵌入し、隆起部８８の水平端面９２がキャビティ１１の底面の切り欠き部分を補完してキャビティ１１の底面とほぼ面一で連なる。
【００３１】
上記の場合において、リテーナ６０Ａが仮係止位置にあるときに、底板６２の前端部または突部８７の前端部に対してそこをハウジング１０Ａ側に突き上げるような外力Ｆが作用すると、リテーナ６０Ａには係止突部６１と仮係止受け部２１との係合位置を略中心とする回動方向の応力が加わることになる。しかるに実施形態２においては、水平突起９５と水平面８４が互いに当り合うことで外力Ｆが受け止められ、結果、リテーナ６０Ａの回動が阻止されて、底板６２の前端部または突部８７の前端部がハウジング１０Ａ側に落ち込むのが防止される。このとき、リテーナ６０Ａ側の落ち込み規制部８５が底板６２の前端縁から前方に突出する形態であることに起因し、リテーナ６０Ａ側およびハウジング１０Ａ側の両落ち込み規制部８１，８５が係止突部６１と仮係止受け部２１との係合位置から最大限に遠く離れた位置で当り合うこととなり、リテーナ６０Ａの回動をより確実に阻止できる。
【００３２】
＜他の実施形態＞
本発明は上記記述および図面によって説明した実施形態に限定されるものではなく、例えば次のような実施形態も本発明の技術的範囲に含まれる。  
（１）リテーナ側およびハウジング側の両落ち込み規制部は、リテーナの前端部がハウジング側へ突き上げられる外力を受けた場合に、リテーナが回動しようとする方向で当り合っていればよく、必ずしもリテーナが回動しようとする方向と直角な平面で当り合っていなくてもよい。  
（２）本発明は、リテーナの各側面に仮係止部が一つのみ設けられ、対応するハウジングの外面に仮係止受け部が一つのみ設けられ、リテーナが側面毎について一点支持状態となる場合にも有効である。  
（３）実施形態１では、リテーナが仮係止位置にあるときに、突片は、側方から見てリテーナの操作部とラップしていたが、側方から見てリテーナの操作部以外の部分とラップしていてもよい。  
（４）リテーナは雄端子金具を収容する雄側ハウジングに装着されるものであってもよい。
【図面の簡単な説明】
【００３３】
【図１】実施形態１のコネクタにおいて、ハウジングに対してリテーナが仮係止位置にある状態を示す側断面図
【図２】ハウジングに対してリテーナが本係止位置にある状態を示す側断面図
【図３】ハウジングの底面図
【図４】ハウジングに対してリテーナが仮係止位置にある状態を示す底面図
【図５】ハウジングに対してリテーナが本係止位置にある状態を示す底面図
【図６】リテーナの側面図
【図７】ハウジングの側面図
【図８】実施形態２のコネクタにおいて、ハウジングに対してリテーナが仮係止位置にある状態を示す側断面図
【図９】ハウジングに対してリテーナが本係止位置にある状態を示す側断面図
【図１０】ハウジングの底面図
【図１１】リテーナの側面図
【図１２】リテーナの側断面図
【図１３】リテーナの正面図
【図１４】リテーナの平面図
【図１５】ハウジングの側面図
【符号の説明】
【００３４】
Ｆ…外力
１０，１０Ａ…ハウジング
１１…キャビティ
２１…仮係止受け部
３１…突片
３２…脚部
３３…台部
４１…ラップ領域
６０，６０Ａ…リテーナ
６１…係止突部（仮係止部）
６２…底板
６３…被当接部（落ち込み規制部）
６４…操作部
６５…本体部
８１…ハウジング側の落ち込み規制部
８５…リテーナ側の落ち込み規制部
【図１】
2008198554.tif 000003
【図２】
2008198554.tif 000004
【図３】
2008198554.tif 000005
【図４】
2008198554.tif 000006
【図５】
2008198554.tif 000007
【図６】
2008198554.tif 000008
【図７】
2008198554.tif 000009
【図８】
2008198554.tif 000010
【図９】
2008198554.tif 000011
【図１０】
2008198554.tif 000012
【図１１】
2008198554.tif 000013
【図１２】
2008198554.tif 000014
【図１３】
2008198554.tif 000015
【図１４】
2008198554.tif 000016
【図１５】
2008198554.tif 000017